(57)【要約】【課題】構造的に簡便で省スペースな誤挿入防止機構を備えるマルチメータを提供する。【解決手段】マルチメータ１は、測定機能を選択するためのロータリースイッチ３と、テストプローブのコネクタが差し込まれる共通端子孔２０と、テストプローブのコネクタが選択的に差し込まれる選択端子孔２１，２２，２３と、選択端子孔２１〜２３を選択的に開口するシャッター板４，５とを備え、ロータリースイッチ３が、その回転と共に移動する凸部３２，３３を有し、シャッター板４が、共通端子孔２０に対応する孔４１を有して共通端子孔２０の中心を回転軸心として回転可能であると共に、凸部３２に係合可能な凹部４２を有して凸部３２の移動で選択端子孔２１及び選択端子孔２２のいずれか一方が開口するように回転可能であり、シャッター板５が、凸部３３に係合可能な凹部５２を有して凸部３３の移動で選択端子孔２３を開閉するように回転可能なものである。【選択図】図１
2014010007.tif 000002
【特許請求の範囲】
【請求項１】
測定機能を選択するためのロータリースイッチと、テストプローブのコネクタが差し込まれる共通端子孔と、他のテストプローブのコネクタが選択的に差し込まれる複数の選択端子孔と、該ロータリースイッチの回転で駆動されて該選択端子孔を選択的に開口するシャッター板とを備えるマルチメータであって、
該ロータリースイッチが、その回転と共に移動する第一の凸部及び第二の凸部を有しており、
該シャッター板として第一のシャッター板及び第二のシャッター板を備え、
該第一のシャッター板が、該共通端子孔に対応する孔を有して該共通端子孔の中心を回転軸心として回転可能であると共に、該第一の凸部に係合可能な第一の凹部を有して該第一の凸部の移動で第一の選択端子孔及び第二の選択端子孔のいずれか一方が開口するように往復的に回転可能であり、
該第二のシャッター板が、該第二の凸部に係合可能な第二の凹部を有して該第二の凸部の移動で第三の選択端子孔を開閉するように往復的に回転可能であることを特徴とするマルチメータ。
【請求項２】
前記第二のシャッター板が、前記第三の選択端子孔を開口している状態で前記第二の選択端子孔を遮蔽する形状に形成されていることを特徴とする請求項１に記載のマルチメータ。
【請求項３】
前記第一のシャッター板及び前記第二のシャッター板の各々の位置を保持する位置保持機構を有していることを特徴とする請求項１又は２に記載のマルチメータ。
【発明の詳細な説明】
【技術分野】
【０００１】
本発明は、測定機能を選択するロータリースイッチの回転に伴い、テストプローブのコネクタが差し込まれる複数の選択端子孔が選択的に開口するマルチメータに関するものである。
【背景技術】
【０００２】
電圧測定、電流測定、抵抗測定等の複数の測定機能を有する測定器であるマルチメータ（テスターとも呼ばれている）が種々の測定現場で使用されている。マルチメータは、黒色のテストプローブを差し込むための共通端子孔、及び赤色のテストプローブのコネクタを差し込むための複数の選択端子孔を有している。測定者は、ロータリースイッチを回転させて所望の測定機能を選択すると共に、選択した測定機能に対応する選択端子孔に赤色のテストプローブを差し込み、共通端子孔に黒色のテストプローブを差し込んで測定を行う。
【０００３】
ところが、測定者が誤った選択端子孔にテストプローブを差し込んで使用した場合、マルチメータの内部回路やヒューズを破損させてしまう場合がある。例えば、電流測定用の選択端子孔には流せる最大電流の規定があるため、他の測定機能時に、誤って電流測定用の選択端子孔を使用してしまうと、過大な電流が流れてヒューズが破損してしまう場合がある。そのため、例えば特許文献１に示されるように、ロータリースイッチの回転でシャッター板を移動させて、測定機能に対応する選択端子孔を開口させるようにした誤挿入防止機構付きマルチメータが知られている。
【先行技術文献】
【特許文献】
【０００４】
【特許文献１】特許第３５２２０３０号公報
【発明の概要】
【発明が解決しようとする課題】
【０００５】
特許文献１の図１に示されたマルチメータでは、ロータリースイッチの回転を、従動車や歯車機構を介してシャッター板に伝達させているため、構造的に複雑であり、広いスペースが必要である。同文献の図１２に示されたマルチメータでは、従動車等を用いておらず構造的に簡便であるが、シャッター板に形成された丸孔が選択端子孔に合うようにシャッター板を回転させるため、丸孔よりも大きなシャッター板が必要であり、構造的に広いスペースが必要である。
【０００６】
マルチメータの携帯性を高めるために小型化したり、高機能化による内部回路の複雑化に対応したり、デザイン性を高めたりするために、シャッター板等の誤挿入防止機構を省スペースなものにしたいという課題がある。
【０００７】
本発明は前記の課題を解決するためになされたもので、省スペースで構造的に簡便なシャッター板等の誤挿入防止機構を備えるマルチメータを提供することを目的とする。
【課題を解決するための手段】
【０００８】
前記の目的を達成するためになされた、特許請求の範囲の請求項１に記載されたマルチメータは、測定機能を選択するためのロータリースイッチと、テストプローブのコネクタが差し込まれる共通端子孔と、他のテストプローブのコネクタが選択的に差し込まれる複数の選択端子孔と、該ロータリースイッチの回転で駆動されて該選択端子孔を選択的に開口するシャッター板とを備えるマルチメータであって、該ロータリースイッチが、その回転と共に移動する第一の凸部及び第二の凸部を有しており、該シャッター板として第一のシャッター板及び第二のシャッター板を備え、該第一のシャッター板が、該共通端子孔に対応する孔を有して該共通端子孔の中心を回転軸心として回転可能であると共に、該第一の凸部に係合可能な第一の凹部を有して該第一の凸部の移動で第一の選択端子孔及び第二の選択端子孔のいずれか一方が開口するように往復的に回転可能であり、該第二のシャッター板が、該第二の凸部に係合可能な第二の凹部を有して該第二の凸部の移動で第三の選択端子孔を開閉するように往復的に回転可能であることを特徴とする。
【０００９】
請求項２に記載されたマルチメータは、請求項１に記載のもので、前記第二のシャッター板が、前記第三の選択端子孔を開口している状態で前記第二の選択端子孔を遮蔽する形状に形成されていることを特徴とする。
【００１０】
請求項３に記載されたマルチメータは、請求項１又は２に記載のもので、前記第一のシャッター板及び前記第二のシャッター板の各々の位置を保持する位置保持機構を有していることを特徴とする。
【発明の効果】
【００１１】
本発明のマルチメータは、第一及び第二のシャッター板等の構造が簡便であり、省スペースである。特に、第二のシャッター板が第三の選択端子孔を開閉するだけでなく、第二の選択端子孔も開閉する形状に形成した場合、簡便な構造でありながら、第一から第三の選択端子孔のうちの何れか一つだけを開口させることができる。第一及び第二のシャッター板の位置保持機構を備えることで、振動等の外力の影響があったとしても選択端子孔の開閉状態を確実に維持することができる。
【図面の簡単な説明】
【００１２】
【図１】本発明を適用するマルチメータの一部を切り欠いて構造の概要を示す正面図である。
【図２】図１に示すシャッター板の動きを説明するための要部を表す正面図である。
【図３】図１に示すシャッター板の動きを説明するための要部を表す正面図である。
【図４】図１に示すシャッター板の動きを説明するための要部を表す正面図である。
【図５】本発明を適用する他のマルチメータの一部を切り欠いて構造の概要を示す正面図である。
【図６】図５に示すシャッター板の動きを説明するための要部を表す正面図である。
【発明を実施するための形態】
【００１３】
以下、本発明を実施するための形態を詳細に説明するが、本発明の範囲はこれらの形態に限定されるものではない。
【００１４】
本発明を適用するマルチメータ１を図１に示す。マルチメータ１は、一例として携帯型のデジタルマルチメータであり、筐体箱２、ロータリースイッチ３、第一のシャッター板４、第二のシャッター板５、化粧パネル６、共通端子孔２０、第一の選択端子孔２１、第二の選択端子孔２２、第三の選択端子孔２３、及び測定結果を表示する表示パネル７を備えている。
【００１５】
筐体箱２の正面側（図の観察面側）に、ロータリースイッチ３、第一のシャッター板４、及び第二のシャッター板５が取り付けられていて、ロータリースイッチ３の基部（鍔部３１、外周の凸部３２，３３、切欠き部３５）やシャッター板４，５が化粧パネル６によって覆われて隠されている。同図では、誤挿入防止機構となるロータリースイッチ３やシャッター板４，５の構造が判るように、その部分の化粧パネル６を切り欠いて図示している。
【００１６】
筐体箱２は、測定者が片手で持ちやすい大きさに形成された絶縁樹脂製の中空ケースである。同図では、筐体箱２の両側に、衝撃保護用のクッション部材１８が取り付けられている例を示している。筐体箱２は、図示しないが例えば上箱と下箱の２つに分割可能になっており、その内部に測定用の電気回路基板や電池が配置されている。
【００１７】
この筐体箱２には、テストプローブのコネクタ（図示せず）を差し込むための共通端子孔２０、及び、他のテストプローブのコネクタ（図示せず）を選択的に差し込むための第一の選択端子孔２１、第二の選択端子孔２２、第三の選択端子孔２３が形成されている。この例では、図の右側から選択端子孔２１、共通端子孔２０、選択端子孔２２、選択端子孔２３がこの順に、等間隔で一列（直線状）に並んで形成されている。共通端子孔２０や選択端子孔２１，２２，２３の奥には、テストプローブとの接続用のコネクタＣが配置されている。
【００１８】
筐体箱２には、シャッター板４の回転軸となる円筒壁２４、シャッター板４の位置保持壁２６，２７、シャッター板５の回転軸となる円柱２５、及びシャッター板５の位置保持壁２８が、筐体箱２の正面側に突出するように、筐体箱２と一体的に樹脂で形成されている。
【００１９】
円筒壁２４は、共通端子孔２０の穴縁に、共通端子孔２０の中心と同心になるように形成されている。つまり、円筒壁２４の内壁が共通端子孔２０になっている。位置保持壁２６には、側壁に円弧状の窪み部２６ａ，２６ｂが形成されており、位置保持壁２７には、側壁に円弧状の窪み部２７ａ，２７ｂが形成されている。円柱２５は、選択端子孔２３の周辺でロータリースイッチ３側のスペースに形成されている。位置保持壁２８には、側壁に円弧状の窪み部２８ａ，２８ｂが形成されている。
【００２０】
ロータリースイッチ３は、測定機能を選択するためのものである。ロータリースイッチ３のノブ３０の先端の位置で、測定機能が選択される。この例では、ロータリースイッチ３は電源スイッチも兼ねている。同図に示すように、ロータリースイッチ３は、一例として、電源オフの位置１２ａから時計回りの順で、交流電圧測定機能（位置１２ｂ）、直流電圧測定機能、導通測定機能、ダイオード極性測定機能、抵抗測定機能、容量測定機能（位置１２ｃ）、μＡレベルの電流測定機能（位置１２ｄ）、ｍＡレベルの電流測定機能（位置１２ｅ）、Ａレベルの電流測定機能（位置１２ｆ）を選択できるようになっている。この例では、各測定機能が、ロータリースイッチ３を２２．５度回転させる度に切り替わるように、選択位置が配置されている。又、ロータリースイッチ３が電源オフの位置１２ａ〜Ａレベルの電流測定機能の位置１２ｆの範囲内で回転可能なように、回転範囲を規制する回転範囲規制機構（図示せず）が設けられている。
【００２１】
ロータリースイッチ３で選択された測定機能により、交流電圧測定機能（位置１２ｂ）〜容量測定機能（位置１２ｃ）では、選択端子孔２１を使用する。μＡレベルの電流測定機能（位置１２ｄ）及びｍＡレベルの電流測定機能（位置１２ｅ）では、選択端子孔２２を使用する。Ａレベルの電流測定機能（位置１２ｆ）では、選択端子孔２３を使用する。図示しないが、化粧パネル６にも選択端子孔２１〜２３や共通端子孔２０が形成されていて、選択端子孔２１〜２３の近くには、対応する測定機能を示す文字、記号、マーク等が表示されており、共通端子孔２０の近くには、共通端子であることを示す文字等（例えば「ＣＯＭ」）が表示されている。
【００２２】
このようにマルチメータ１では、選択端子孔２１を共通して使用する電流測定機能以外の測定機能（交流電圧測定機能〜容量測定機能）のグループを、ロータリースイッチ３の回転範囲の開始端側（位置１２ａ（ｂ）側）から順に選択できるように、測定機能の選択位置を順に配置する。そして、共通端子孔２０の一方側（図では一例として右側）に選択端子孔２１を配置する。さらに、電流測定機能（μＡレベルの電流測定機能、ｍＡレベルの電流測定機能、Ａレベルの電流測定機能）のグループを、ロータリースイッチ３の回転範囲の終端側で選択できるように、回転範囲の最後側に順に、Ａレベルの電流測定機能を最終端として、選択位置を配置する。そして、共通端子孔２０の他方側（図では一例として左側）のすぐ横に、選択端子孔２２を配置し、さらにその横に選択端子孔２３を配置する。
【００２３】
ロータリースイッチ３は、その基部に円盤状の鍔部３１を有している。この鍔部３１は、ロータリースイッチ３の回転軸心と同心の円盤となるように、ロータリースイッチ３と一体的に形成されている。この鍔部３１の円盤の板厚は、シャッター板４、５の板厚と同じかそれよりも厚い板厚で形成されている。この鍔部３１の側面（円弧状壁）は、後述するようにシャッター板５と摺動する。
【００２４】
さらに、鍔部３１には、その円盤の半径方向外側に突出するように第一の凸部３２及び第二の凸部３３が一体的に形成されている。凸部３２がシャッター板４側に位置し、凸部３３がシャッター板５側に位置するように、凸部３２と凸部３３とが互いに鍔部３１の円周方向に所定の間隔が開くように形成されている。さらに、凸部３２の方が、凸部３３よりも円盤の半径方向外側に大きく突出するように、互いの突出量を異ならせて形成されている。この凸部３２は、電流測定機能以外の測定機能（位置１２ｃ）から電流測定機能（位置１２ｄ）に切り替わるとき、及び、電流測定機能（位置１２ｄ）から電流測定機能以外の測定機能（位置１２ｃ）に切り替わるときに、後述するシャッター板４の凹部４２と係合可能な位置関係で鍔部３１（ロータリースイッチ３）に形成されている。又、凸部３３は、ｍＡレベルの電流測定機能（位置１２ｅ）からＡレベルの電流測定機能（位置１２ｆ）に切り替わるとき、及び、Ａレベルの電流測定機能（位置１２ｆ）からｍＡレベルの電流測定機能（位置１２ｅ）に切り替わるときに、後述するシャッター板５の凹部５２と係合可能な位置関係で鍔部３１に形成されている。
【００２５】
又、鍔部３１には、凸部３３のシャッター板５側（凸部３２の反対側）のすぐ横に、切欠き部３５が形成されている。この切欠き部３５は、シャッター板５の回転を妨げないようにクリアランスを確保するために設けられている。切欠き部３５は、シャッター板５の回転時に円弧壁５６から鍔部３１が押圧される範囲を、少なくとも切り欠いた形状で形成されている。
【００２６】
シャッター板４は、ベース板４０に、第一の遮蔽腕４３及び第二の遮蔽腕４４が一体的に設けられて、全体的に平らな一枚の板体に形成されている。遮蔽腕４３は選択端子孔２１を開閉するためのものであり、遮蔽腕４４は選択端子孔２２を開閉するためのものである。
【００２７】
ベース板４０は、共通端子孔２０に対応する孔４１を有している。この孔４１は、筐体箱２の円筒壁２４にちょうど嵌って、円筒壁２４に摺動する大きさに形成されている。円筒壁２４に孔４１が嵌まることで、ベース板４０が共通端子孔２０の中心を回転軸心として往復的に回転可能になっている。
【００２８】
このベース板４０には、ロータリースイッチ３の凸部３２に係合可能な第一の凹部４２が形成されている。このベース板４０は、ロータリースイッチ３の凸部３３とは係合しない大きさで形成されている。ロータリースイッチ３の正回転及び逆回転による凸部３２の移動で、凹部４２に凸部３２が係合してベース板４０が往復するように回転可能になっている。このベース板４０の往復的な回転で、シャッター板４はシーソーのように動き、図１に示すように、遮蔽腕４３が選択端子孔２１を開口して遮蔽腕４４が選択端子孔２２を遮蔽（閉口）する第一の位置、及び、図２に示すように、遮蔽腕４３が選択端子孔２１を遮蔽して遮蔽腕４４が選択端子孔２２を開口する第二の位置のいずれかの位置になる位置関係で、凸部３２、ベース板４０、凹部４２、遮蔽腕４３，４４が形成されている。
【００２９】
この例では、図１に示すように、ベース板４０の概ね中央部に孔４１が形成されていて、ベース板４０の一方側に遮蔽腕４３が形成され、他方側に遮蔽腕４４が形成されている。遮蔽腕４３と遮蔽腕４４とは、所定角度を有するようにベース板４０に形成されている。遮蔽腕４３，４４は、選択端子孔２１，２２を遮蔽可能な必要最小限の大きさ、形状で形成することが好ましい。又、例えば選択端子孔２１が完全に開口するように、遮蔽腕４３には、円弧状の切欠き部４８が形成されている。このようにシャッター板４の回転角度等や選択端子孔２１，２２等の位置を考慮して遮蔽腕４３，４４の角度や形状等が決められている。
【００３０】
さらにシャッター板４は、図１に示すように、位置保持壁２６，２７に撓みつつ摺動する弾性腕４５，４６を一体的に有している。この位置保持壁２６及び弾性腕４５の組、位置保持壁２７及び弾性腕４６の組が各々シャッター板４の位置保持機構になる。前記の第一の位置で、弾性腕４５の円弧状の先端部が窪み部２６ａに嵌ると共に弾性腕４６の円弧状の先端部が窪み部２７ａに嵌って位置が保持され、前記の第二の位置で弾性腕４５の先端部が窪み部２６ｂに嵌ると共に弾性腕４６の先端部が窪み部２７ｂに嵌って位置が保持される位置関係で弾性腕４５，４６及び位置保持壁２６，２７が形成されている。
【００３１】
シャッター板５は、ベース板５０に、第三の遮蔽腕５３及び第四の遮蔽腕５４が一体的に設けられて、全体的に平らな一枚の板体に形成されている。遮蔽腕５３は選択端子孔２３を開閉するためのものであり、遮蔽腕５４は選択端子孔２２を開閉するためのものである。図１に示すように遮蔽腕５３の先を延長した延長部分を遮蔽腕５４とすることで、構造、形状が簡便になり、一層省スペースな構成とすることができるので好ましい。なお、遮蔽腕５３と遮蔽腕５４とを別々の腕として設けてもよい。
【００３２】
ベース板５０は、円柱２５にちょうど嵌って、円柱２５に摺動する大きさの孔５１が形成されている。円柱２５に孔５１が嵌まることで、ベース板５０が円柱２５を回転軸心として往復的に回転可能になっている。
【００３３】
このベース板５０には、ロータリースイッチ３の凸部３３に係合可能な第二の凹部５２が形成されている。凹部５２は孔５１の一方側（図の上側）に形成され、遮蔽腕５３，５４は孔５１の他方側（図の下側）に形成されている。
【００３４】
ロータリースイッチ３の正回転及び逆回転による凸部３３の移動で、凹部５２に凸部３３が係合してベース板５０が往復するように回転可能になっている。このベース板５０の往復的な回転で、シャッター板５はシーソーのように動き、図１に示すように、遮蔽腕５３が選択端子孔２３を遮蔽して遮蔽腕５４が選択端子孔２２を開口する第三の位置、及び、図４に示すように、遮蔽腕５３が選択端子孔２３を開口して遮蔽腕５４が選択端子孔２２を遮蔽する第四の位置のいずれかの位置になる位置関係で、凸部３３、ベース板５０、凹部５２、遮蔽腕５３，５４が形成されている。シャッター板５の回転時に、シャッター板４とシャッター板５とが干渉しないように、例えば図４に示ように、シャッター板４に円弧状の切欠き部４９が形成されている。
【００３５】
このシャッター板５は、図１に示すように、位置保持壁２８に撓みつつ摺動する弾性腕５５を一体的に有している。この位置保持壁２８及び弾性腕５５の組がシャッター板５の位置保持機構になる。前記の第三の位置で、弾性腕５５の円弧状の先端部が窪み部２８ａに嵌って位置が保持され、前記の第四の位置で弾性腕５５の先端部が窪み部２８ｂに嵌って位置が保持される位置関係で弾性腕５５及び位置保持壁２８が形成されている。
【００３６】
さらに、シャッター板５は、鍔部３１と略同じ円弧径で形成されて、鍔部３１に摺動可能な円弧壁５６（位置保持機構の他の例）をベース板５０に有している。この円弧壁５６は、シャッター板５が図１に示す第三の位置のときに、ロータリースイッチ３（鍔部３１）と同心になるようにベース板５０に形成されている。この円弧壁５６は、第三の位置のときに、ロータリースイッチ３の回転中心と円柱２５の中心とを結ぶ仮想直線（図示せず）を僅かでも横切るようにベース板５０に形成されている。
【００３７】
筐体箱２、ロータリースイッチ３、シャッター板４、５は、摺動し合うため、摺動性や耐久性の良い、例えば、変性ポリフェニレンエーテル（ＰＰＥ）で成形することが好ましい。ＰＰＥは弾性（可撓性）も有するため、弾性腕４５，４６や弾性腕５５を有するシャッター板４，５にも好ましく用いることができる。
【００３８】
以下、マルチメータ１の動作について、図１〜図４を参照しつつ具体的に説明する。
【００３９】
測定者が、図１に示すノブ３０を抓んでロータリースイッチ３を回転させると、凸部３２及び凸部３３も共にロータリースイッチ３の外周を周回するように移動する。
【００４０】
ロータリースイッチ３（ノブ３０）が電源オフ（位置１２ａ）から容量測定機能（位置１２ｃ）の範囲を回転するときには、凸部３２がシャッター板４の凹部４２に係合せず、凸部３３がシャッター板５の凹部５２に係合しないため、シャッター板４，５は動かない。そのため、シャッター板４は、図１に示すように、遮蔽腕４３が選択端子孔２１を開口して、遮蔽腕４４が選択端子孔２２を遮蔽する第一の位置を維持すると共に、シャッター板５は、遮蔽腕５３が選択端子孔２３を遮蔽して遮蔽腕５４が選択端子孔２２を開口する第三の位置を維持する。
【００４１】
シャッター板４は、弾性腕４５，４６が位置保持壁２６，２７（二組の位置保持機構）で保持されるため、振動等で動かず、確実に位置が保持される。なお、一組の位置保持機構で位置を保持するようにしてもよい。シャッター板５は、弾性腕５５が位置保持壁２８で保持されるため、振動等で動かない。さらにシャッター板５は、回転させようとする外力が働いても円弧壁５６の凹部５２側の端部が鍔部３１に押し当たるため、シャッター板５の回転が阻止されて、第三の位置に一層保持される。
【００４２】
ロータリースイッチ３を、図１に示す容量測定機能（位置１２ｃ）に位置している状態から、時計回りに回転させてμＡレベルの電流測定機能（位置１２ｄ）に切り替えるときに、凸部３２が凹部４２に係合する。凸部３２は、ロータリースイッチ３の回転と共に移動して、係合した凹部４２の内壁を回転方向に押すため、シャッター板４が円筒壁２４（共通端子孔２０）を軸として回転する。このシャッター板４の回転で、図２に示すように、μＡレベルの電流測定機能（位置１２ｄ）になったときに、シャッター板４は、遮蔽腕４３が選択端子孔２１を遮蔽して遮蔽腕４４が選択端子孔２２を開口する第二の位置になる。シャッター板４は、弾性腕４５，４６及び位置保持壁２６，２７により第二の位置で保持される。
【００４３】
凸部３３の突出量は小さいため、凸部３３はシャッター板４の回転に影響しない。
【００４４】
ロータリースイッチ３を、図２に示すμＡレベルの電流測定機能（位置１２ｄ）に位置している状態から、図３に示すようにｍＡレベルの電流測定機能（位置１２ｅ）に回転させても、凸部３３は、凹部５２に係合せず凹部５２を押さないので、シャッター板５は動かない。そのため、シャッター板５は、第二の位置を維持する。
【００４５】
ロータリースイッチ３を、図３に示すｍＡレベルの電流測定機能（位置１２ｅ）に位置している状態から、図４に示すようにＡレベルの電流測定機能（位置１２ｆ）に回転させるときに、凸部３３が凹部５２に係合して押すため、シャッター板５を押し回す。この回転で、シャッター板５は、遮蔽腕５３が選択端子孔２３を開口して遮蔽腕５４が選択端子孔２２を遮蔽する第四の位置になる。シャッター板５は、弾性腕５５が位置保持壁２８で保持されるため、第４の位置で保持されて、振動等で動かない。なお、凸部３２が、凸部３３と共にシャッター板５を押すように係合して、シャッター板５を回転させてもよい。
【００４６】
この図３から図４へのシャッター板５の回転時に、円弧壁５６の凹部５２側の端部は、鍔部３１に押し当たらずに切欠き部３５を通るため、シャッター板５の回転は阻止されず、スムーズに回転する。
【００４７】
共通端子孔２０は、図１〜図４の何れの状態であっても開口したままである。
【００４８】
ロータリースイッチ３を、逆に回転させて、図４に示すＡレベルの電流測定機能（位置１２ｆ）に位置している状態から、図３に示すようにｍＡレベルの電流測定機能（位置１２ｅ）に回転させるときには、凸部３３が凹部５２に係合して押すことで、シャッター板５が回転して図３に示す第三の位置になる。
【００４９】
ロータリースイッチ３を、図２に示すμＡレベルの電流測定機能（位置１２ｄ）に位置している状態から、図１に示すように容量測定機能（位置１２ｃ）に回転させるときには、凸部３２が凹部４２に係合して押すことで、シャッター板４が回転して図１に示す第一の位置になる。
【００５０】
このように、ロータリースイッチ３に設けられた凸部３２の移動によりシャッター板４が往復的に回転し、凸部３３の移動によりシャッター板５が往復的に回転することで、ロータリースイッチ３の位置に応じて、選択端子孔３１〜３３のいずれか一つだけが選択的に開口する。凸部３２，３３及びシャッター板４，５の構成は簡便であり、これらの配置に必要なスペースは省スペースである。
【００５１】
次に、本発明を適用する別のマルチメータ１ａについて説明する。
【００５２】
図５に示すマルチメータ１ａは、遮蔽腕５３のみを有して遮蔽腕５４を有していないシャッター板５ａを備えていることが、前述したマルチメータ１とは異なっている。マルチメータ１ａの他の構成は、マルチメータ１の構成と同じである。
【００５３】
マルチメータ１ａは、遮蔽腕５４を有していないので、図６に示すように、ロータリースイッチ３がＡレベルの電流測定機能（位置１２ｆ）に位置しているときに、選択端子孔２２及び選択端子孔２３が開口する。ロータリースイッチ３が他の測定機能に位置しているときは、マルチメータ１と同様に、選択端子孔２１，２２のうちの何れか一つが開口する。
【００５４】
前述したマルチメータ１のように、選択端子孔２１〜２３の内のいずれか一つだけを開口させることが好ましいが、構成を簡略化して、このマルチメータ１ａのように、特定の測定機能時に２つの選択端子孔２２，２３を開口させるようにしてもよい。
【００５５】
以上、本発明のマルチメータ１，１ａについて説明したが、シャッター板４，５の位置保持機構は、前述した例に限られず、爪や突起などで保持するようにしてもよいし、公知の種々の位置保持用の機構を備えてもよい。又、位置の切り替えを歯切れ良くする構造を追加してもよい。
【００５６】
又、共通端子孔２０の右側に電圧測定機能等で使用する選択端子孔２１を配置し、共通端子孔２０の左側に電流測定機能で使用する選択端子孔２２，２３を配置した例について説明したが、逆の配置として、共通端子孔２０の左側に選択端子孔２１を配置し、共通端子孔２０の右側に選択端子孔２２，２３を配置してもよい。この場合、各端子孔２０〜２３の位置や開閉状態に対応させて、凸部３２，３３の位置やシャッター板４，５の位置及び形状、遮蔽腕４３，４４の形状や角度、遮蔽腕５３，５４の形状や角度等を適宜変更する。
【００５７】
又、遮蔽腕４３が一つの選択端子孔２１を遮蔽する例について説明したが、図１の選択端子孔２１よりも右側に更に別の選択端子孔を設け、別に設けた選択端子孔を選択端子孔４３と共に遮蔽腕４３で遮蔽するようにしてもよい。又、各端子孔２０〜２３を、直線状に並べて配置した例を図示しているが、適宜形状を変形した遮蔽腕４３，４４，５３，５４で開閉できる配置であれば、曲線状に並べて配置してもよく、その配置は任意である。
【００５８】
シャッター板４，５を平らな一枚の板体に形成した例について説明したが、ベース板４０,５０を厚い板体で形成し、遮蔽腕４３，４４や遮蔽腕５３，５４を薄い板体で形成してもよい。シャッター板４，５の形状、板厚等は適宜変更してもよい。又、筐体箱２に回転軸用の円筒壁２４を形成した例について説明したが、ベース板４０の裏面側に円筒壁を形成して、この円筒壁を共通端子孔２０に嵌めてベース板４０を回転可能にしてもよい。このようにベース板４０，５０の回転軸の構成は、適宜変更してもよい。
【符号の説明】
【００５９】
１・１ａはマルチメータ、２は筐体箱、３はロータリースイッチ、４は第一のシャッター板、５・５ａは第二のシャッター板、６は化粧パネル、７は表示パネル、１２ａ〜１２ｆは位置、１８はクッション部材、２０は共通端子孔、２１は第一の選択端子孔、２２は第二の選択端子孔、２３は第三の選択端子孔、２４は円筒壁、２５は円柱、２６・２７・２８は位置保持壁、２６ａ・２６ｂ・２７ａ・２７ｂ・２８ａ，２８ｂは窪み部、３０はノブ、３１は鍔部、３２は第一の凸部、３３は第二の凸部、３５は切欠き部、４０はベース板、４１は孔、４２は第一の凹部、４３は第一の遮蔽腕、４４は第二の遮蔽腕、４５・４６は弾性腕、４８・４９は切欠き部、５０はベース板、５１は孔、５２は第二の凹部、５３は第三の遮蔽腕、５４は第四の遮蔽腕、５５は弾性腕、５６は円弧壁、Ｃはコネクタである。
【図１】
2014010007.tif 000003
【図２】
2014010007.tif 000004
【図３】
2014010007.tif 000005
【図４】
2014010007.tif 000006
【図５】
2014010007.tif 000007
【図６】
2014010007.tif 000008